(57)【要約】【課題】テレビ放送の録画内容の再生忘れを未然に防止するために有益な情報をユーザ所持の携帯端末装置に通知できるようにする。【解決手段】ＴＶレコーダ１は、ユーザによって任意に設定された録画開始日時を含む予約レコードが予約テーブルＲＥＴに記憶管理されている状態において、この予約レコードに含まれている「録画開始日時」に到達した際に、当該予約レコードに基づいてテレビ録画処理を実行すると共に、このテレビ録画処理の実行が正常に行われたか否かを判別し、正常に実行された場合には予め通知先として決められているユーザ所持の携帯電話装置６に対してテレビ録画処理が正常実行されたことを電子メールにて通知する。【選択図】  図１
2007081786.tif 000002
【特許請求の範囲】
【請求項１】
テレビ放送を受信して録画記憶するテレビ放送録画装置であって、
ユーザによって任意に設定された録画開始日時を含む録画予約情報を記憶管理する予約情報記憶手段と、
前記予約情報に含まれている録画開始日時に到達した際に、当該予約情報に基づいてテレビ録画処理の実行を制御する制御手段と、
この制御手段によってテレビ録画処理の実行が正常に行われたか否かを判別する判別手段と、
この判別手段によってテレビ録画処理が正常に行われたことが判別された場合に、予め通知先として決められているユーザ所持の携帯端末装置に対してテレビ録画処理が正常に実行されたことを通知する通知手段と、
を具備したことを特徴とするテレビ放送録画装置。
【請求項２】
前記判別手段は、テレビ録画処理が正常に開始されたか否かを判別し、
前記通知手段は、テレビ録画処理が正常に開始された場合には、そのことをユーザ所持の携帯端末装置に対して通知する、
ようにしたことを特徴とする請求項1記載のテレビ放送録画装置。
【請求項３】
前記判別手段は、テレビ録画処理が正常に完了したか否かを判別し、
前記通知手段は、テレビ録画処理が正常に完了した場合には、そのことをユーザ所持の携帯端末装置に対して通知する、
ようにしたことを特徴とする請求項1記載のテレビ放送録画装置。
【請求項４】
ユーザ所持の携帯端末装置から録画開始日時を含む予約内容を録画予約情報として受信して前記予約情報記憶手段に設定した場合に、前記通知手段は、この予約情報に基づいたテレビ録画処理を正常に実行したことを前記予約内容の送信元である携帯端末装置に対して通知する、
ようにしたことを特徴とする請求項1記載のテレビ放送録画装置。
【請求項５】
ユーザ所持の携帯端末装置から録画開始日時を含む予約内容を録画予約情報として受信して前記予約情報記憶手段に設定すると共に、この予約情報に対応付けて当該携帯端末装置を呼び出す情報を通知先情報として設定した場合に、前記通知手段は、この予約情報に基づいたテレビ録画処理を正常に実行したことを当該予約情報対応の通知先情報によって示される携帯端末装置に対して通知する、
ようにしたことを特徴とする請求項４記載のテレビ放送録画装置。
【請求項６】
テレビ放送を受信して録画記憶するテレビ放送録画装置であって、
録画指定が行われる毎に指定されたテレビ放送を受信録画してその録画内容を記憶保存する録画手段と、
この録画手段に記憶保存されいる複数の録画内容の中から任意に選択された録画内容を再生出力する再生手段と、
前記録画手段によって録画が行われてから所定時間経過しても前記再生手段によって再生出力されていない未再生の録画内容が存在しているか否かを判別する判別手段と、
この判別手段によって録画後所定期間経過しても未再生の録画内容が存在していれば、この録画内容に関する情報をユーザ所持の携帯端末装置に対して通知する通知手段と、
を具備したことを特徴とするテレビ放送録画装置。
【請求項７】
前記再生手段によって再生出力された再生済みの録画内容であることを示す再生済み情報あるいは未再生の録画内容であることを示す未再生情報のほか、指定されたテレビ放送を録画した録画日時が各録画内容に対応付けて記憶管理されている状態において、前記判別手段は、前記再生済み情報あるいは未再生情報と録画日時とを参照することによって、録画後所定期間経過しても未再生の録画内容が存在しているか否かを判別する、
ようにしたことを特徴とする請求項６記載のテレビ放送録画装置。
【請求項８】
前記録画手段に記憶保存されいる録画内容に対応付けてその録画指定を行ったユーザ所持の携帯端末装置を呼び出す情報が通知先情報として設定されている場合に、前記通知手段は、前記未再生の録画内容に対応付けられている通知先情報によって示される携帯端末装置に対して当該録画内容に関する情報を通知する、
ようにしたことを特徴とする請求項６記載のテレビ放送録画装置。
【請求項９】
コンピュータに対して、
ユーザによって任意に設定された録画開始日時を含む録画予約情報を記憶管理する機能と、
前記予約情報に含まれている録画開始日時に到達した際に、当該予約情報に基づいてテレビ録画処理の実行を制御する機能と、
テレビ録画処理の実行が正常に行われたか否かを判別する機能と、
テレビ録画処理が正常に行われたことが判別された場合に、予め通知先として決められているユーザ所持の携帯端末装置に対してテレビ録画処理が正常に実行されたことを通知する機能と、
を実現させるためのプログラム。
【請求項１０】
コンピュータに対して、
録画指定が行われる毎に指定されたテレビ放送を受信録画してその録画内容を記憶保存する機能と、
記憶保存されいる複数の録画内容の中から任意に選択された録画内容を再生出力する機能と、
録画が行われてから所定時間経過しても再生出力されていない未再生の録画内容が存在しているか否かを判別する機能と、
録画後所定期間経過しても未再生の録画内容が存在していれば、この録画内容に関する情報をユーザ所持の携帯端末装置に対して通知する機能と、
を実現させるためのプログラム。
【発明の詳細な説明】
【技術分野】
【０００１】
この発明は、テレビ（ＴＶ）放送を受信して録画記憶するテレビ放送録画装置及びプログラムに関する。
【背景技術】
【０００２】
近年、ＴＶ放送録画装置としてはＴＶ放送番組を録画可能なＨＤＤ（ハードディスクドライブ）、ＤＶＤなどを備えたデジタルビデオレコーダが普及し始めている。特に、ハードディスクには、多数のテレビ放送番組を録画可能であるが、その記憶容量には当然限界があるために不要となった再生視聴済みの録画番組を削除するようにしている。この場合、従来では、ハードディスクの空き容量不足のために予約録画を実行することができない場合には、携帯電話にその旨を通知するようにした技術が知られている（特許文献１参照）。また、レコーダから携帯電話に通知する技術としては、ビデオレコーダに対して遠隔地から録画予約を行った場合に、その予約情報を設定する処理が終了したことを携帯電話に通知するようにした技術が知られている（特許文献２参照）。
【特許文献１】特開２００２−６４７８５号公報
【特許文献２】特開２００３−２０４４９８号公報
【発明の開示】
【発明が解決しようとする課題】
【０００３】
しかしながら、上述した特許文献１の技術は、不要な録画番組などをハードディスクから削除して空き容量を確保するために携帯電話に対して通知するものであり、それ以外の目的で通知するものではなかった。また、上述した特許文献２の技術は、指定どおりに録画予約が設定されたか否かを遠隔地から確認可能とするために携帯電話に対して通知するものであり、それ以外の目的で通知するものではなかった。
ところで、ＴＶ放送を予約録画した場合にその予約内容に基づいて所望の放送番組が録画されているかどうかはビデオレコーダ内の録画状況を確認しなければ知ることができず、多数の番組を録画したような場合にはその再生視聴を忘れてしまったり、ときには録画したことさえ忘れてしまうこともあり、特に、数日後あるいは１週間後に放送されるテレビ番組を事前予約した場合には、予約自体を忘れてしまう可能性が高く、せっかく録画した番組であっても未再生（未視聴）のまま長期間放置されることがあった。
【０００４】
この発明の課題は、テレビ放送の録画内容の再生忘れを未然に防止するために有益な情報をユーザ所持の携帯端末装置に通知できるようにすることである。
【課題を解決するための手段】
【０００５】
請求項１記載の発明は、テレビ放送を受信して録画記憶するテレビ放送録画装置であって、ユーザによって任意に設定された録画開始日時を含む録画予約情報を記憶管理する予約情報記憶手段と、前記予約情報に含まれている録画開始日時に到達した際に、当該予約情報に基づいてテレビ録画処理の実行を制御する制御手段と、この制御手段によってテレビ録画処理の実行が正常に行われたか否かを判別する判別手段と、この判別手段によってテレビ録画処理が正常に行われたことが判別された場合に、予め通知先として決められているユーザ所持の携帯端末装置に対してテレビ録画処理が正常に実行されたことを通知する通知手段とを具備したことを特徴とする。
更に、コンピュータに対して、上述した請求項１記載の発明に示した主要機能を実現させるためのプログラムを提供する（請求項９記載の発明）。
【０００６】
なお、上述した請求項１記載の発明は次ぎのようなものであってもよい。
前記判別手段は、テレビ録画処理が正常に開始されたか否かを判別し、前記通知手段は、テレビ録画処理が正常に開始された場合には、そのことをユーザ所持の携帯端末装置に対して通知する（請求項２記載の発明）。
【０００７】
前記判別手段は、テレビ録画処理が正常に完了したか否かを判別し、前記通知手段は、テレビ録画処理が正常に完了した場合には、そのことをユーザ所持の携帯端末装置に対して通知する（請求項３記載の発明）。
【０００８】
ユーザ所持の携帯端末装置から録画開始日時を含む予約内容を録画予約情報として受信して前記予約情報記憶手段に設定した場合に、前記通知手段は、この予約情報に基づいたテレビ録画処理を正常に実行したことを前記予約内容の送信元である携帯端末装置に対して通知する（請求項４記載の発明）。
この場合、ユーザ所持の携帯端末装置から録画開始日時を含む予約内容を録画予約情報として受信して前記予約情報記憶手段に設定すると共に、この予約情報に対応付けて当該携帯端末装置を呼び出す情報を通知先情報として設定した場合に、前記通知手段は、この予約情報に基づいたテレビ録画処理を正常に実行したことを当該予約情報対応の通知先情報によって示される携帯端末装置に対して通知するようにしてもよい（請求項５記載の発明）。
【０００９】
請求項６記載の発明は、テレビ放送を受信して録画記憶するテレビ放送録画装置であって、録画指定が行われる毎に指定されたテレビ放送を受信録画してその録画内容を記憶保存する録画手段と、この録画手段に記憶保存されいる複数の録画内容の中から任意に選択された録画内容を再生出力する再生手段と、前記録画手段によって録画が行われてから所定時間経過しても前記再生手段によって再生出力されていない未再生の録画内容が存在しているか否かを判別する判別手段と、この判別手段によって録画後所定期間経過しても未再生の録画内容が存在していれば、この録画内容に関する情報をユーザ所持の携帯端末装置に対して通知する通知手段とを具備したことを特徴とする。
更に、コンピュータに対して、上述した請求項６記載の発明に示した主要機能を実現させるためのプログラムを提供する（請求項１０記載の発明）。
【００１０】
なお、上述した請求項６記載の発明は次ぎのようなものであってもよい。
前記再生手段によって再生出力された再生済みの録画内容であることを示す再生済み情報あるいは未再生の録画内容であることを示す未再生情報のほか、指定されたテレビ放送を録画した録画日時が各録画内容に対応付けて記憶管理されている状態において、前記判別手段は、前記再生済み情報あるいは未再生情報と録画日時とを参照することによって、録画後所定期間経過しても未再生の録画内容が存在しているか否かを判別する（請求項７記載の発明）。
【００１１】
前記録画手段に記憶保存されいる録画内容に対応付けてその録画指定を行ったユーザ所持の携帯端末装置を呼び出す情報が通知先情報として設定されている場合に、前記通知手段は、前記未再生の録画内容に対応付けられている通知先情報によって示される携帯端末装置に対して当該録画内容に関する情報を通知する（請求項８記載の発明）。
【発明の効果】
【００１２】
請求項１記載の発明によれば、ユーザによって任意に設定された録画開始日時を含む録画予約情報を記憶管理している状態において、この予約情報に含まれている録画開始日時に到達した際に、当該予約情報に基づいてテレビ録画処理を実行すると共に、このテレビ録画処理の実行が正常に行われたか否かを判別し、正常に実行された場合には予め通知先として決められているユーザ所持の携帯端末装置に対してテレビ録画処理が正常実行されたことを通知するようにしたから、ユーザにあっては、以前に行った予約内容に基づいて放送録画が正常に行われたこと、この録画内容が記憶保存されていること、この録画内容を何時でも自由に再生可能であることを直ちに知ることができ、録画内容の再生忘れ（視聴忘れ）を未然に防止することが可能となる。
【００１３】
請求項２記載の発明によれば、上述した請求項１記載の発明と同様の効果を有するほか、テレビ録画処理が正常に開始されたか否かを判別し、テレビ録画処理が正常に開始された場合には、そのことをユーザ所持の携帯端末装置に対して通知するようにしたから、ユーザにあっては、例えば、予約開始時の通知有無によって予定どおりに録画が正常開始されたか否かを知ることができる。
【００１４】
請求項３記載の発明によれば、上述した請求項１記載の発明と同様の効果を有するほか、テレビ録画処理が正常に完了したか否かを判別し、テレビ録画処理が正常に完了した場合には、そのことをユーザ所持の携帯端末装置に対して通知するようにしたから、ユーザにあっては、例えば、録画完了時の通知有無によって予定どおりに録画が正常完了したか否かを知ることができる。
【００１５】
請求項４記載の発明によれば、上述した請求項１記載の発明と同様の効果を有するほか、ユーザ所持の携帯端末装置から録画開始日時を含む予約内容を受信して録画予約情報として設定した場合に、この予約情報に基づいたテレビ録画処理を正常に実行したことを予約内容の送信元である携帯端末装置に対して通知するようにしたから、録画の予約者に対して録画の正常実行を知らせることができる。
【００１６】
この場合、ユーザ所持の携帯端末装置から録画開始日時を含む予約内容を受信して録画予約情報として設定すると共に、この予約情報に対応付けて当該携帯端末装置を呼び出す情報を通知先情報として設定した場合に、この予約情報に基づいたテレビ録画処理を正常に実行したことを当該予約情報対応の通知先情報によって示される携帯端末装置に対して通知するようにしたから（請求項５記載の発明）、録画予約時に通知先情報を入手して設定することができ、それを事前に設定するための設定操作が不要となる。
【００１７】
請求項６記載の発明によれば、テレビ放送を受信録画してその録画内容が記憶保存されている状態において、録画が行われてから所定時間経過しても再生出力されていない未再生の録画内容が存在しているか否かを判別し、録画後所定期間経過しても未再生の録画内容が存在していれば、この録画内容に関する情報をユーザ所持の携帯端末装置に対して通知するようにしたから、ユーザにあっては、録画後で未再生のまま放置されている録画内容が存在していることを知ることができ、未再生のまま放置されている録画内容が大量に溜まってハードディスクなどが容量不足となることを未然に防止することが可能となる。
【００１８】
請求項７記載の発明によれば、上述した請求項６記載の発明と同様の効果を有するほか、再生出力された再生済みの録画内容であることを示す再生済み情報あるいは未再生の録画内容であることを示す未再生情報のほか、指定されたテレビ放送を録画した録画日時が各録画内容に対応付けて記憶管理されている状態において、再生済み情報あるいは未再生情報と録画日時とを参照することによって、録画後所定期間経過しても未再生の録画内容が存在しているか否かを判別するようにしたから、未再生のまま放置されている録画内容を確実に特定することが可能となる。
【００１９】
請求項８記載の発明によれば、上述した請求項６記載の発明と同様の効果を有するほか、録画内容に対応付けてその録画指定を行ったユーザ所持の携帯端末装置を呼び出す情報が通知先情報として設定されている場合に、未再生の録画内容に対応付けられている通知先情報によって示される携帯端末装置に対して当該録画内容に関する情報を通知するようにしたから、未再生のまま放置されている録画内容をその録画指定者に対して知らせることができる。
【発明を実施するための最良の形態】
【００２０】
以下、図１〜図７を参照して本発明の実施例を説明する。
図１は、テレビ（ＴＶ）放送を受信して録画するテレビ放送録画装置（ＴＶ受信機、デジタルビデオレコーダ）を備え、ＴＶ放送番組を遠隔地から録画予約などが可能なテレビ放送録画システムの全体構成を示したブロック図である。
このテレビ放送録画システムは、一般家庭向けのＡＶシステムであり、家庭内にはデジタルビデオレコーダ（ＴＶレコーダ）１、ＴＶ受信機２、パーソナルコンピュータ（ＰＣ）３が設置されており、このＴＶレコーダ１にはＴＶ受信機２及びＰＣ３がケーブル接続されているほか、ネットワーク（インターネット、移動体通信網）４を介してＴＶ放送番組配信サーバ５及びユーザ所持の携帯電話装置６が接続されている。なお、ＴＶ放送番組配信サーバ５は、配信サービス業者側に設置されているサーバで、各会員ユーザに対してＴＶ放送番組を配信する。
【００２１】
ＴＶレコーダ１は、録画機能、再生機能、予約録画機能、サーチ機能などのほか、この実施例においては、ＴＶ録画が正常に完了したことを電子メールにて通知するための通知機能を備えたものであり、レコーダ本体１Ａ、処理部１Ｂを有する構成となっている。このレコーダ本体１Ａは、ＴＶチューナを備え、ＴＶチューナで受信したＴＶ放送番組を取り込んでハードディスクに録画するもので、このレコーダ本体１Ａの駆動時にはメイン電源（図示せず）がＯＮされる。なお、ＴＶ放送番組の録画とは、映像録画のほか、音声・音楽を併せて録音することを意味している（以下、同様）。ＴＶレコーダ１は、ＴＶ放送番組の録画内容を再生する再生機能を備え、任意の録画番組の内容（録画ファイル）を読み出してＴＶ受信機２からビデオ出力及びオーディオ出力させる。
【００２２】
処理部１Ｂは、メイン電源がＯＦＦ時にもサブ電源（図示せず）によって駆動可能なもので、録画予約を受け付けて設定登録したり、この録画予約に基づいてレコーダ本体１Ａに録画開始・終了を指示して録画動作を制御したり、録画保存されている各種のＴＶ放送番組（録画ファイル）の中から所望する録画ファイルをサーチしてその番組タイトルなどを案内表示させたり、ＴＶ録画が正常に完了したことをユーザ宛に電子メールにて通知したりするなど、各種の処理を実行する。
【００２３】
ここで、予約録画機能は、キー操作によって入力された録画予約のほか、ＰＣ３あるいは携帯電話装置６からネットワーク４を介して受信した録画予約を設定する機能である。サーチ機能は、録画保存されている各種の録画ファイルのうち、所望する録画ファイルを検索してその番組タイトルなどを案内表示させる機能であり、通知機能は、ＴＶ録画が正常に開始されたとき及び録画が正常に完了したときにその旨を電子メールにて当該ユーザ宛に送信する機能である。
【００２４】
なお、ＰＣ３あるいは携帯電話装置６からＴＶレコーダ１に対して録画予約を行う場合、このＰＣ３あるいは携帯電話装置６側では、予め受信取得しておいた電子番組表(ＥＰＧ)を読み出して表示出力させ、このＥＰＧ画面上で任意の番組を選択指定することによって録画予約を自動生成してＴＶレコーダ１に送信するようにしているが、ＥＰＧを使用せず、キー操作によって録画予約を入力作成してＴＶレコーダ１に送信するようにしてもよい。
【００２５】
図２は、ＴＶレコーダ１の基本的な構成要素を示したブロック図である。
ＴＶレコーダ１は、レコーダ本体１Ａ、処理部１Ｂを有する構成で、レコーダ本体１Ａは、ＴＶチューナ１１、ビデオ信号及びオーディオ信号を処理するビデオ・オーディオプロセッサ１２、録画用のハードディスク１３などを備えている。処理部１Ｂは、ＴＶレコーダ１の全体動作を制御するＣＰＵ１４、プログラム領域とデータ領域を有するフラッシュメモリなどの記憶部１５、ＤＲＡＭによって構成されたワーク用のメモリ１６などを備えている。なお、ハードディスク１３は、例えば、１００Ｇバイト以上の記憶容量を有する構成となっており、また、記憶部１５のプログラム領域には、後述する図５〜図７に示す動作手順に応じて本実施例を実現するためのプログラムが格納され、また、データ領域には、後述する予約テーブル、録画テーブルなどが格納されている。
【００２６】
記録メディア１７は、例えば、ＣＤ、ＤＶＤなどの着脱自在な可搬型のメモリであり、外部供給された映像・音声を再生出力する際あるいはＴＶ放送番組を録画する際にセットされる。キー操作部１８は、キーボード、タッチパネルなどの操作部であり、文字データ、数値データなどを入力したり、各種のコマンドを入力するもので、文字、数値入力キー、録画開始キー、一時停止キー、停止キー、再生キーなどを備えている。ネットワーク通信部１９は、ネットワーク４を介してＴＶ放送番組配信サーバ５、携帯電話装置６との間でデータの受け渡しを行う。
【００２７】
図３は、ＴＶレコーダ１側の予約テーブルＲＥＴの構成を示した図である。
この予約テーブルＲＥＴは、キー操作部１８から入力されたり、ＰＣ３あるいは携帯電話装置６からネットワーク４を介して受信した録画予約情報が設定登録されるもので、各予約レコードは、「録画開始日時」、「録画終了時刻」、「チャンネル」、「タイトル」、「通知先」の各項目を有している。ここで、「録画開始日時」、「録画終了時刻」、「チャンネル」、「タイトル」は、録画予約情報内に含まれている各項目のデータである。なお、「録画開始日時」、「録画終了時刻」、「チャンネル」は、必須項目であるのに対し、「タイトル」は任意項目であり、録画予約時に必要に応じて入力指定すればよい。
【００２８】
「通知先」は、ＴＶ録画が正常に開始されたとき及び録画が正常に完了したときにその旨を電子メールにて通知する通知先を示し、ＰＣ３あるいは携帯電話装置６から電子メールによって録画予約を受信した場合には、この差出人のメールアドレスが自動設定されるが、キー操作部１８から録画予約を行う場合には、任意に入力されたメールアドレスが設定される。なお、ＴＶ録画の場合、１つの番組毎に予約録画を行うのが一般的であるが、連続的に放送される複数のテレビ番組を一括して録画する場合には、複数の番組に跨って「録画開始日時」、「録画終了時刻」を設定すればよい。また、録画ファイルは予約レコード毎に生成されてハードディスク１３に録画保存される。
【００２９】
図４は、ＴＶレコーダ１側の録画テーブルＶＲＴの構成を示した図である。
この録画テーブルＶＲＴは、ハードディスク１３に録画保存されている録画ファイル毎にそれに関連する情報を記憶管理するもので、各管理レコードは、「録画日時」とその番組の「タイトル」のほか、この録画ファイルを最初に再生した「再生日時」と、この録画の開始時及び完了時にその旨を電子メールにて通知する「通知先：メールアドレス」と、録画ファイルの未再生放置を報告したことを示す「報告済みフラグ」の各項目を有している。すなわち、この「報告済みフラグ」は、録画後所定期間以上（例えば、２０日以上）経過しても未再生のまま放置されている録画ファイルが存在している場合に、その録画ファイルの番組タイトルなどを電子メールにて報告した後であることを示すフラグである。
【００３０】
次ぎに、この実施例におけるＴＶレコーダ１の動作概念を図５〜図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３１】
図５〜図７は、電源投入に伴って実行開始されるＴＶレコーダ１の全体動作の概要を示したフローチャートである。
先ず、ＴＶレコーダ１を構成する処理部１ＢにおいてそのＣＰＵ１４は、ＰＣ３あるいは携帯電話装置６から電子メールによって録画予約を受信したか否かを監視しており（図５のステップＳ１）、この予約メールを受信した場合には、この受信した予約内容に基づいて予約レコードを生成する（ステップＳ３）。この場合、受信した予約内容から「録画開始日時」、「録画終了時刻」、「チャンネル」、「タイトル」の項目データを抽出して、これらの項目データを含む予約メールを生成する。
【００３２】
そして、ＴＶレコーダ１は、受信した予約メールの中から差出人のメールアドレスを取得し、このメールアドレスを生成した予約レコード内の「通知先」の項目位置にセットしたのち（ステップＳ３）、この生成レコードを予約テーブルＲＥＴの最後に追加登録する（ステップＳ４）。なお、キー操作部１８からユーザ操作によって録画予約が行われた場合には、後述する図７のステップＳ３１では、このキー操作に応じて予約レコードを生成して予約テーブルＲＥＴに追加登録する処理が行われる。
【００３３】
また、ＣＰＵ１４は、現在、ＴＶ放送を録画中であるか否かを「録画中フラグ」をチェックすることによって監視しており（ステップＳ５）、現在録画中でなければ（ステップＳ５でＮＯ）、図６のフローに移り、現在日時（システム日時）を取得して予約テーブルＲＥＴ内の各「録画開始日時」と順次比較かすることによって現在日時を「録画開始日時」とする予約レコードが存在しているかをチェックする（ステップＳ１２）。つまり、何れかの録画開始日時に到達したかを調べ、録画開始日時に到達した予約レコードが有れば（ステップＳ１３でＹＥＳ）、レコーダ本体１Ａのメイン電源をＯＮさせてＴＶ放送番組の受信録画の準備を行う（ステップＳ１４）。
【００３４】
ここで、ハードディスク１３の残容量を検出して今回の録画時間に相当する録画量と比較することによって録画可能か否かを調べる（ステップＳ１５）。すなわち、ハードディスク１３の全容量から現時点までの録画量を引いた値を残容量として算出し、また、予約レコードの「録画開始日時」から「録画終了時刻」を引いた時間を今回の録画時間として算出すると共に、この録画時間に相当する録画量を算出してハードディスク１３の残容量と比較する。これによって「今回の録画量＞残容量」となり、ハードディスク１３の残量不足を検出した場合には、録画不可と判断してステップＳ１９に移り、この予約レコード内の「通知先」を読み出し、この通知先に対して録画不可を示すトラブル発生メールを通知する。
【００３５】
また、「今回の録画量≦残容量」となり、ハードディスク１３に録画可能であれば、ステップＳ１６に移り、レコーダ本体１Ａに対して該当チャンネルのＴＶ放送番組を受信すべきことを指示すると共に、受信したＴＶ放送番組をハードディスク１３に録画すべきことを指示する。これによってレコーダ本体１Ａ側においてＴＶ放送番組の録画が開始されると、上述した「録画中フラグ」をメモリ１６にセットすると共に、予約レコードから読み出した「録画終了時刻」を「録画中フラグ」に対応付けてメモリ１６に一時記憶させたのち（ステップＳ１７）、この予約レコードから「通知先」を読み出し、録画を正常に開始したことをこの通知先（ＰＣ３あるいは携帯電話装置６）に対してメール送信する（ステップＳ１８）。そして、最初のステップＳ１に戻る。
【００３６】
いま、録画開始後にあっては、上述した「録画中フラグ」がセットされているので（図５のステップＳ５でＹＥＳ）、次ぎのステップＳ６に移り、この「録画中フラグ」に対応してメモリ１６に一時記憶されている「録画終了時刻」を読み出して現在時刻と比較し、現在時刻は「録画終了時刻」に到達したかを調べるが、録画終了時刻前であれば、そのまま録画を継続させるために最初のステップＳ１に戻る。いま、録画終了時刻に達すると（ステップＳ６でＹＥＳ）、レコーダ本体１Ａに対して録画終了の指示を行うと共に（ステップＳ７）、メイン電源をＯＦＦさせる（ステップＳ８）。
【００３７】
そして、ＣＰＵ１４は、今回の録画に該当する予約レコードから「通知先：メールアドレス」を読み出し、この「通知先」に対して録画動作が正常に完了したことを示す完了メールを送信する（ステップＳ９）。そして、この録画ファイルに関する情報として、「録画日時」、「タイトル」を含む録画レコードを生成して録画テーブルＶＲＴの最後に追加登録すると共に（ステップＳ１０）、予約テーブルＲＥＴから該当する予約レコードを削除したのち（ステップＳ１１）、最初のステップＳ１に戻る。
【００３８】
一方、録画予約の開始日時となった予約レコードが無ければ（図６のステップＳ１３でＮＯ）、図７のフローに移り、予め決められている報告時刻に到達したかをチェックする（ステップＳ２０）。すなわち、録画ファイルの未再生放置の報告を定期的（例えば、１日に１回）行うためにその報告時刻（設定時刻）に達したかを調べるが、いま、報告時刻でなければ、ステップＳ２７に移り、新規録画再生有りか、つまり、録画後始めて再生された録画ファイルが存在するかを調べる。
【００３９】
ここで、新規再生された録画番組（録画ファイル）が有れば、録画テーブルＶＲＴから当該録画番組に対応する録画レコードを検索してその「再生日時」をセットする（ステップＳ２８）。また、ハードディスク１３に格納されている各種の録画ファイルのうち、ユーザ操作によって任意に削除された録画ファイルが存在しているかを調べ（ステップＳ２９）、削除された録画ファイルが有れば、録画テーブルＶＲＴから当該録画ファイルに対応する録画レコードを削除する（ステップＳ３０）。
【００４０】
その他の処理（ステップＳ３１）は、キー操作に応じた処理を実行するもので、ハードディスク１３に格納されている各種の録画ファイルの中からユーザ操作によって任意に選択指定された録画ファイルをサーチしてその番組タイトルなどを案内表示させたり、選択された録画ファイルを読み出して再生出力させたり、選択された録画ファイルの削除指令に応答してハードディスク１３から当該録画ファイルを削除するなどの各種の処理を実行したのち、最初のステップＳ１に戻る。
【００４１】
他方、報告時刻（設定時刻）に達したことを検出したときには（ステップＳ２０でＹＥＳ）、録画テーブルＶＲＴを検索して「再生日時」及び「報告済みフラグ」がセットされていない録画レコードが存在しているかをチェックする（ステップＳ２１、Ｓ２２）。言い換えれば、録画後一度も再生が行われず、しかも、未再生の放置報告も行われていない録画ファイルが存在しているかをチェックし、該当するファイルが無ければ、最初のステップＳ１に戻るが、該当するファイルが有れば、この各録画ファイル毎にその録画レコードの「録画日時」から現在日時までの経過日数をそれぞれ算出する（ステップＳ２３）。
【００４２】
そして、算出した各経過日数の中からその日数が２０日以上のものは存在しているか、つまり、２０日以上経過しても未再生のまま放置されている録画ファイルが存在しているかをチェックする（ステップＳ２４）。いま、未再生放置の期間が全て２０日未満の場合には（ステップＳ２４でＮＯ）、最初のステップＳ１に戻るが、２０日以上未再生のまま放置されている録画ファイルが１つでも有れば、該当ファイルの番組タイトル、録画日時を含む未視聴番組報告メールを作成してその「通知先」に対して送信する（ステップＳ２５）。そして、その録画レコードに「報告済みフラグ」をセットしたのち（ステップＳ２６）、最初のステップＳ１に戻る。
【００４３】
以上のように、この実施例においてＴＶレコーダ１は、ユーザによって任意に設定された録画開始日時を含む予約レコードが予約テーブルＲＥＴに記憶管理されている状態において、この予約レコードに含まれている「録画開始日時」に到達した際に、当該予約レコードに基づいてテレビ録画処理を実行すると共に、このテレビ録画処理の実行が正常に行われたか否かを判別し、正常に実行された場合には予め通知先として決められているユーザ所持の携帯電話装置６に対してテレビ録画処理が正常に行われたことをメール通知するようにしたから、ユーザにあっては、以前に行った予約内容に基づいて放送録画が正常に行われたこと、この録画ファイルが記憶保存されていること、この録画ファイルを何時でも自由に再生可能であることを直ちに知ることができ、録画ファイルの再生忘れ（視聴忘れ）を未然に防止することが可能となる。
【００４４】
この場合、ＴＶレコーダ１は、テレビ録画処理が正常に開始されたか否かを判別し、テレビ録画処理が正常に開始された場合には、そのことをユーザ所持の携帯電話装置６に対して通知するようにしたから、ユーザにあっては、例えば、予約開始時の通知有無によって予定どおりに録画が正常開始されたか否かを知ることができる。また、ＴＶレコーダ１は、テレビ録画処理が正常に完了したか否かを判別し、テレビ録画処理が正常に完了した場合には、そのことをユーザ所持の携帯電話装置６に対して通知するようにしたから、ユーザにあっては、例えば、録画完了時の通知有無によって予定どおりに録画が正常完了したか否かを知ることができる。
【００４５】
また、ＴＶレコーダ１は、携帯電話装置６から録画開始日時を含む予約内容を受信して予約レコードとして予約テーブルＲＥＴに設定した場合に、この予約レコードに基づいたテレビ録画処理を正常に実行したことを予約内容の送信元である携帯電話装置６に対して通知するようにしたから、録画の予約者に対して録画の正常実行を知らせることができる。この場合、携帯電話装置６から録画開始日時を含む予約内容を受信して予約レコードとして設定すると共に、この予約レコード内に当該携帯電話装置６の「メールアドレス」通知先情報として設定した場合に、この予約レコードに基づいたテレビ録画処理を正常に実行したことを当該予約対応のメールアドレス宛に通知するようにしたから、録画予約時にメールアドレスを入手して設定することができ、それを事前に設定するための設定操作が不要となる。
【００４６】
ＴＶレコーダ１は、テレビ放送を受信録画した録画ファイルが記憶保存されている状態において、この録画が行われてから２０日以上経過しても再生出力されていない未再生の録画ファイルが存在しているか否かを判別し、２０日以上経過しても未再生の録画ファイルが存在していれば、この録画ファイルに関する情報をユーザ所持の携帯電話装置６に通知するようにしたから、ユーザにあっては、録画後で未再生のまま放置されている録画ファイルが存在していることを知ることができ、未再生のまま放置されている録画ファイルが大量に溜まってハードディスク１３が容量不足となることを未然に防止することが可能となる。この場合、録画テーブルＶＲＴには、録画指定を行ったユーザ所持の携帯電話装置６のメールアドレスが「通知先」として記憶管理されており、このメールアドレス宛に、未再生放置の通知を行うようにしたから、録画指定者に対して未再生放置を知らせることができる。
【００４７】
なお、上述した実施例においては、各種の通知を行う場合、その通知先としてユーザ所持の携帯電話装置６宛に行うようにしたが、そのユーザのＰＣ３のメールアドレスに対しても各種の通知を行うようにしてもよい。また、未再生放置を通知する場合に、録画後２０日以上経過しても未再生の録画ファイルを特定するようにしたが、この未再生放置の録画ファイルを特定する期間は、ユーザが任意に入力設定したものであってもよい。
その他、携帯端末装置としては、携帯電話装置６に限らず、例えば、ＰＤＡ、デジタルカメラ、電子腕時計、携帯音楽再生機、携帯ビデオレコーダなどであってもよい。
【図面の簡単な説明】
【００４８】
【図１】ＴＶ放送番組を遠隔地から録画予約などが可能なテレビ放送録画システムの全体構成を示したブロック図。
【図２】ＴＶレコーダ１の基本的な構成要素を示したブロック図。
【図３】ＴＶレコーダ１側の予約テーブルＲＥＴの構成を示した図。
【図４】ＴＶレコーダ１側の録画テーブルＶＲＴの構成を示した図。
【図５】電源投入に伴って実行開始されるＴＶレコーダ１の全体動作の概要を示したフローチャート。
【図６】図５に続く、フローチャート。
【図７】図６に続く、フローチャート。
【符号の説明】
【００４９】
１  ＴＶレコーダ
２  ＴＶ受信機
３  ＰＣ
４  ネットワーク
５  ＴＶ放送番組配信サーバ
６  ユーザ所持の携帯電話装置
１Ａ  レコーダ本体
１Ｂ  処理部
１１  ＴＶチューナ
１３  ハードディスク
１４  ＣＰＵ
１５  記憶部
１６  メモリ
１８  キー操作部
１９  ネットワーク通信部
ＲＥＴ  予約テーブル
ＶＲＴ  録画テーブル
【図１】
2007081786.tif 000003
【図２】
2007081786.tif 000004
【図３】
2007081786.tif 000005
【図４】
2007081786.tif 000006
【図５】
2007081786.tif 000007
【図６】
2007081786.tif 000008
【図７】
2007081786.tif 000009